(57)【要約】  少なくとも１つの制御装置（３，４）を有するシステムにおいて、当該制御装置が、互いにネットワークを介して接続される当該システム（２）の少なくとも１つのソースデバイス（ＰＣ，ＤＶＤ，ＲＡＤＩＯ，ＭＰ３，ＴＶ１，ＴＶ２）及び１つの再生デバイス（Ｂ１，Ｂ２，ＴＶ１，ＴＶ２，Ｍ）を制御するものであり、制御装置（３，４）が、ソースデバイス（ＰＣ，ＤＶＤ，ＲＡＤＩＯ，ＭＰ３，ＴＶ１，ＴＶ２）及び少なくとも１つの再生デバイス（Ｂ１，Ｂ２，ＴＶ１，ＴＶ２，Ｍ）を接続するアクティブデータリンク（Ｄ）をアクティブとするように構成され、制御装置（３，４）により入力された全ての制御命令が、アクティブデータリンク（Ｄ）を介して接続されたデバイス（ＰＣ，ＤＶＤ，ＲＡＤＩＯ，ＭＰ３，ＴＶ１，ＴＶ２，Ｂ１，Ｂ２，ＴＶ１，ＴＶ２，Ｍ）に関係する。
2007506344.tif 000002
【特許請求の範囲】
【請求項１】
少なくとも１つの制御装置を有するシステムであって、当該制御装置は、互いにネットワークを介して接続される当該システムの少なくとも１つのソースデバイス及び１つの再生デバイスを制御するものであり、前記少なくとも１つのソースデバイスは、当該ソースデバイスにより記憶又は受信された情報をアクティブデータリンクへ供給するように構成され、前記少なくとも１つの再生デバイスは、前記ソースデバイスにより前記アクティブデータリンクを介して当該再生デバイスへ供給された情報の聴覚的及び／又は視覚的再生をなすように構成され、ソースデバイス及び少なくとも１つの再生デバイスは、前記アクティブデータリンクを確立するように前記制御装置によってアクティブにされることが可能であり、その後に前記制御装置により供給された全ての制御命令は、前記アクティブデータリンクを介して接続されるアクティブソース及び再生デバイスに関係する、システム。
【請求項２】
請求項１に記載のシステムであって、前記アクティブデータリンクにつき前記少なくとも１つの再生デバイス及びソースデバイスをアクティブにする制御装置は、現時点ではアクティブデータリンクとリンクされていない少なくとも受動的な再生デバイス及びソースデバイスをアクティブにするように構成されて、前記アクティブデータリンクにつきアクティブとされることが可能な再生デバイス及び／又はソースデバイスの選択リストを聴覚的及び／又は視覚的に再生するようにした、システム。
【請求項３】
請求項２に記載のシステムであって、前記制御装置により、前記選択リストに示される前記再生デバイスのうちの１つ以上と前記選択リストに示される前記ソースデバイスのうちの１つとは、前記アクティブデータリンクにつきアクティブとされることが可能である、システム。
【請求項４】
請求項２又は３に記載のシステムであって、前記制御装置により、前記アクティブデータリンクについてアクティブとされた再生デバイスは、アクティブ解除されることが可能であり、他の再生デバイスは、アクティブにさせられることが可能である、システム。
【請求項５】
請求項１に記載のシステムであって、前記アクティブデータリンクにつき前記少なくとも１つの再生デバイス及びソースデバイスをアクティブにする制御装置は、前記アクティブデータリンクにつきアクティブとされることの可能な前記再生デバイス及びソースデバイスの選択リストの聴覚的及び／又は視覚的再生をなすように構成される、システム。
【請求項６】
請求項１に記載のシステムであって、制御命令の供給のために前記制御装置は、テキスト形式で少なくとも当該制御命令を含む命令ドキュメントを供給する、システム。
【請求項７】
請求項１に記載のシステムであって、少なくとも２つの制御装置は、当該システムにおいて使用可能であり、各制御装置は、それを識別する識別情報により識別される、システム。
【請求項８】
請求項７に記載のシステムであって、少なくともアクティブデータリンクに係る前記アクティブソースデバイス及び／又は前記アクティブ再生デバイスのユーザインターフェースは、前記アクティブデータリンクをセットアップした前記制御装置の前記識別情報に依存性がある、システム。
【請求項９】
少なくとも１つの制御装置によって少なくとも１つのソースデバイス及び再生デバイスを制御する方法であって、前記ソースデバイス及び前記再生デバイスは、互いにネットワークを介して接続され、
当該ソースデバイスにおいて記憶され又は受信された情報をアクティブデータリンクに供給するステップと、
前記再生デバイスにより前記アクティブデータリンクを介して受信された情報の視覚的及び／又は聴覚的再生をなすステップと、
ソースデバイスと少なくとも１つの再生デバイスとの間で当該アクティブデータリンクを確立し、その後に前記制御装置により供給された全ての制御命令が前記アクティブデータリンクを介して接続されるアクティブソース及び再生デバイスに関係するようにしたステップと、
を実行する、
方法。
【請求項１０】
請求項９に記載の方法であって、前記アクティブデータリンクにつき前記少なくとも１つの再生デバイス及びソースデバイスをアクティブにする制御手段は、現時点ではアクティブデータリンク状態にない受動的な再生デバイス及びソースデバイスをアクティブにし、前記アクティブデータリンクに対しアクティブとされることの可能な再生デバイス及び／又はソースデバイスの選択リストを聴覚的及び／又は視覚的に再生する、方法。
【発明の詳細な説明】
【技術分野】
【０００１】
本発明は、少なくとも１つの制御装置を有するシステムであって当該制御装置が互いにネットワークを介して接続される当該システムの少なくとも１つのソース（情報源）デバイス及び１つの再生デバイスを制御するものに関する。
【０００２】
本発明はさらに、少なくとも１つの制御装置によって、互いにネットワークを介して接続される少なくとも１つのソース（情報源）デバイス及び１つの再生デバイスを制御する方法に関する。
【背景技術】
【０００３】
このようなシステム及び方法は、国際特許出願公開に係る文献のＷＯ００／７７７５９から知られている。その中で開示されている制御装置は、複数のデバイス（ＤＶＤプレーヤ、ＶＣＲ、ＣＤプレーヤ）を制御するように構成されたリモートコントロール装置によって形成されている。例えば、ＤＶＤプレーヤ及びＶＣＲはここではソースデバイスを形成し、ＴＶは再生デバイスを形成するものであり、これらはＩＥＥＥ１３９４データリンクを介して互いに接続される。このリモートコントロール装置は、入力手段を形成しこれによりユーザがキーを操作することによって制御命令を入力することができるキーパッドを有する。かかる制御命令は、例えば再生モードにそのＤＶＤプレーヤを制御するために、「ＰＬＡＹ」（再生）といった制御命令とすることができる。これを行うため、ユーザは、次の制御命令がＤＶＤプレーヤのために企図されたものであることを指定するキーを操作し、その後に「ＰＬＡＹ」制御命令に割り当てられたキーを操作し、これにより当該キーは、当該キーを識別する入力情報を発することになる。こうすることにより、ＤＶＤプレーヤからＶＣＲを介したＴＶへのケーブル接続がアクティブデータリンクとして確立され、ＤＶＤプレーヤにより再生されている映画が当該ＴＶで再生される。
【０００４】
この既知のシステム及び既知の方法の場合、当該アクティブデータリンクのソースデバイス又は再生デバイスの各制御命令により、その制御命令が用いられるデバイスを識別しなければならない、という不利な面があることが判明した。
【発明の開示】
【発明が解決しようとする課題】
【０００５】
本発明の目的は、当該デバイスのより簡単な動作を可能とする、最初の段落に明記したタイプに対応するシステム及び２番目の段落に明記したタイプに対応する方法を提供することである。  
【課題を解決するための手段】
【０００６】
上記目的を達成するため、かかるシステムは、次の特徴を有する。すなわち、少なくとも１つの制御装置を有するシステムであって、当該制御装置は、互いにネットワークを介して接続される当該システムの少なくとも１つのソースデバイス及び１つの再生デバイスを制御するものであり、前記少なくとも１つのソースデバイスは、当該ソースデバイスにより記憶又は受信された情報をアクティブデータリンクへ供給するように構成され、前記少なくとも１つの再生デバイスは、前記ソースデバイスにより前記アクティブデータリンクを介して当該再生デバイスへ供給された情報の聴覚的及び／又は視覚的再生をなすように構成され、ソースデバイス及び少なくとも１つの再生デバイスは、前記アクティブデータリンクを確立するように前記制御装置によってアクティブにされることが可能であり、その後に前記制御装置により供給された全ての制御命令は、前記アクティブデータリンクを介して接続されるアクティブソース及び再生デバイスに関係する、システムである。
【０００７】
上記目的を達成するため、かかる方法は、次のようなステップを実行する。すなわち、少なくとも１つの制御装置によって少なくとも１つのソースデバイス及び再生デバイスを制御する方法であって、前記ソースデバイス及び前記再生デバイスは、互いにネットワークを介して接続され、
当該ソースデバイスにおいて記憶され又は受信された情報をアクティブデータリンクに供給するステップと、
前記再生デバイスにより前記アクティブデータリンクを介して受信された情報の視覚的及び／又は聴覚的再生をなすステップと、
ソースデバイスと少なくとも１つの再生デバイスとの間で当該アクティブデータリンクを確立し、その後に前記制御装置により供給された全ての制御命令が前記アクティブデータリンクを介して接続されるアクティブソース及び再生デバイスに関係するようにしたステップと、
を実行する方法、である。
【０００８】
本発明による特徴により、当該制御装置の制御命令は、アクティブソースデバイスと、制御装置によりアクティブとされたデータリンクの１つ以上のアクティブ再生デバイスとに常に関係する。したがって、「ＰＬＡＹ」、「ＳＴＯＰ」、「ＦＯＲＷＡＲＤ」などの制御命令は、アクティブデータリンクの当該１つのアクティブソースデバイスに常に明確に関係し、「ＶＯＬＵＭＥ ＵＰ」、「ＭＵＴＥ」などの制御命令は、アクティブデータリンクの全てのアクティブ再生デバイスに自動的に関係する。したがってユーザは、リモートコントロール装置により個々のデバイス間の切り替えをする必要がなく、制御装置により唯１つのデータリンクをアクティブにすることができ、その後に当該アクティブとされたデータリンクによりアクティブとされたデバイスが制御可能となる。
【０００９】
請求項２の特徴によれば、データリンクをアクティブとするために、現時点で用いられていない全ての再生デバイスは、セレクション（選択）リストを表示又は音響的に再生する、という利点があり、請求項３によれば、かかるリストから、当該アクティブデータリンクのために１つ以上の再生デバイス及びソースデバイスが選択可能となる。
【００１０】
請求項４の特徴によれば、ユーザは、リビングルームにあるＴＶに自分のベッドルームにあるＤＶＤプレーヤにより再生される映画の再生から、子供達の部屋にあるＴＶでの再生にいつでも切り換えることができる、という利点がある。
【００１１】
請求項５の特徴によれば、制御装置により当該選択リストを表示及び／又は音響的に再生することが可能である、という利点を奏する。
【００１２】
請求項６の特徴によれば、制御装置は、当該デバイスへ各制御命令についての特段の製造業者に依存した制御コードを何ら伝送せず、むしろテキスト形式の制御命令が製造業者とは無関係に変換（解読）可能となり、当該デバイスにおいてその制御命令が実行可能となる、という利点を奏する。
【００１３】
請求項７の特徴によれば、例えば、各家族構成員が自分所有のリモートコントロール装置を持つことができ、自分所有のアクティブデータリンクをセットアップすることができる、という利点を奏する。
【００１４】
請求項８の特徴によれば、ソース及び再生デバイスがユーザに対して個人用にカスタマイズされることができる。これは、ユーザが自分のリモートコントロール装置により明確に識別されるからである。この場合、例えばユーザインターフェースの他、例えばテレビジョンセットの場合におけるトランスミッタ（伝送又は送信器）アロケーション（割り当て）は、特定のユーザの要望に適合可能となる。
【００１５】
本発明のこれらの態様及びその他の態様は、以下に説明する実施例に基づいて明瞭となるが、本発明はこれらに限定されるものではない。
【発明を実施するための最良の形態】
【００１６】
図１は、家屋１を概略的に示しており、この家屋には、第１のリモートコントロール装置３及び第２のリモートコントロール装置４を有するシステム２が設けられている。リモートコントロール装置３及び４は、制御装置を形成し、家屋１内の複数のソースデバイス及び再生デバイスの制御のために設けられている。ソースデバイス又はソース（信号源）は、ここではコンピュータＰＣ、ＤＶＤプレーヤＤＶＤ、オーディオＲＡＤＩＯ、ＭＰ３プレーヤＭＰ３の他、第１のテレビジョンセットＴＶ１及び第２のテレビジョンセットＴＶ２を意味するものとして理解されたい。ソースデバイスは、情報源を担い、データリンクＤを介して情報（オーディオ、ビデオ又はデータ）を再生デバイスに出力する。さらに、コンピュータＰＣは、インターネットＮＥＴに接続され、インターネットＮＥＴを介して第１のサーバＳ１及び第２のサーバＳ２からの情報を受信するように構成され、これもシステム２のソースデバイスを形成する。
【００１７】
オーディオスピーカボックスペアＢ１、オーディオスピーカボックスペアＢ２、第１のテレビジョンセットＴＶ１、第２のテレビジョンセットＴＶ２及びモニタＭは、ここでは再生デバイス又はレンダラ（renderer）と理解されたい。再生デバイスは、ソースデバイスからアクティブデータリンクＤを介して再生デバイスに供給される情報の聴覚的及び／又は視覚的再生のために構成される。
【００１８】
それぞれのアクティブデータリンクＤは、第１リモートコントロール装置３及び第２リモートコントロール装置４によって確立され、アクティブデータリンクＤは、当該目的のためにアクティブとなっているソースデバイス及び１つ以上の再生デバイスを接続する。アクティブデータリンクＤが第１リモートコントロール装置３又は第２リモートコントロール装置４により確立されると、他の全ての制御命令ＳＢは、それぞれのアクティブデータリンクＤに接続されているアクティブソースデバイス及び再生デバイスに排他的に関連する。これを可能とするため、各リモートコントロール装置３及び４は、リモートコントロール装置３又は４を明確に識別する識別情報ＫＩにより区別される。
【００１９】
これにより、「ＰＬＡＹ」，「ＳＴＯＰ」，「ＦＯＲＷＡＲＤ」などの制御命令ＳＢは、常にアクティブデータリンクのアクティブソースデバイスに明確に関連し、「ＶＯＬＵＭＥ ＵＰ」，「ＭＵＴＥ」などの制御命令ＳＢは、常にアクティブデータリンクＤの全てのアクティブ再生デバイスに関連する、という効果を奏する。したがってユーザは、個々のデバイス間の切り換えのためにリモートコントロール装置を用いる必要がなく、いずれの場合も１つの制御装置によって、１つのデータリンクＤだけをアクティブにすることができ、その後に当該アクティブとされたデータリンクＤによりアクティブとされたデバイスが制御可能となる。これについては、模範的実施例に基づいてさらに詳しく説明する。
【００２０】
第１リモートコントロール装置３は、第２のリモートコントロール装置４と同じ構成のものであり、図２に詳しく示される。第１リモートコントロール装置３は、入力手段５を有し、この入力手段は、キーパッド６と、第１リモートコントロール装置３のプロセッサ７により実行されるキーパッド読出プログラムとによって形成される。キーパッド６の各キーは、入力情報ＥＩを形成するキーコードが割り当てられている。第１リモートコントロール装置３のユーザがソースデバイスにおいて再生動作モードをアクティブとするために例えば「ＰＬＡＹ」と付されたキーＴ１を操作すると、割り当てられたキー情報Ｔ１が入力情報ＥＩとしてプロセッサ７に供給され、キーパッド読出プログラムにより処理される。
【００２１】
図３は、アロケーションテーブルＺＵを示しており、入力情報ＥＩが制御命令ＳＢに割り当てられている。第１リモートコントロール装置３は、アロケーションテーブルＺＵが記憶されたメモリ手段８を有する。第１リモートコントロール装置３の処理手段９は、プロセッサ７及びメモリ手段８により実行される種々のプログラム（表示起動プログラム、符号化プログラムなど）により形成される。処理手段９は特に、入力された入力情報ＥＩを符号化し伝送手段１０に伝送情報を出力する。
【００２２】
伝送手段１０は、既知の伝送方法ＷＬＡＮ（Wireless Local Area Network Standard WiFi, IEEE 802.11a/b/g）に準じた当該伝送情報の非接触通信のために構成される。このＷＬＡＮ伝送方法によれば、ラジオ周波数伝送が用いられ、伝送手段１０により送られた伝送情報は、家屋１中で受信可能となる。伝送手段１０に対応する伝送手段１１は、コンピュータＰＣに接続され、伝送手段１０と通信するように構成される。
【００２３】
第１のリモートコントロール装置は、付加的にディスプレイ１２を有し、このディスプレイにより特に図４に示されるリンクテーブル１３が表示可能となる。リンクテーブル１３は、現に受動的に制御されこの結果現にアクティブデータリンクＤへリンクされていない全てのソースデバイス及び再生デバイスを列挙する。これについてのさらなる詳細は、次の用例から明らかとなる。
【００２４】
処理手段９は、ここでは付加的に、伝送方法ＷＬＡＮとは独立した命令符号化方法に準じて入力された入力情報ＥＩを符号化するための命令符号化手段１４を有し、命令ドキュメントＤＯＣは、伝送情報と判定され、テキストエディタにより編集可能なテキストの形式で、入力された入力情報ＥＩに割り当てられた制御命令ＳＢを含んでいる。命令ドキュメントＤＯＣは、ここではいわゆるＸＭＬドキュメント（Extended Markup Language）によって形成される。ＸＭＬドキュメントは、今日既に、ソースデバイスから再生デバイスへのオーディオ及びビデオ情報の伝送のために用いられており、本内容の専門家に知られている。
【００２５】
本発明によれば、ソースデバイス及び再生デバイスを制御するＸＭＬドキュメントは、第１リモートコントロール装置３において作成され、その後に伝送手段により伝送される。ここでのＸＭＬドキュメントは、テキストエディタにより編集可能なテキストの形式で伝送されるべき制御命令ＳＢを含んでいる。ここでは、ＸＭＬドキュメントにおける制御命令ＳＢの符号化が、当該選ばれた伝送方法とは独立したものとすることで特に有利なものとなる。したがって、ＸＭＬドキュメントは、ＷＬＡＮ伝送方法の他、例えば赤外線伝送方法、ＩＥＥＥ１３９４に準じた伝送方法又はＵＳＢデータバスを経由した伝送方法に従って形成可能である。これとは対照的に、従来の赤外線リモートコントロール装置による「ＰＬＡＹ」制御命令ＳＢの伝送は、当該伝送方法に依存しており、制御命令「ＰＬＡＹ」は、例えば当該「ＰＬＡＹ」制御命令がＩＥＥＥ１３９４データバスを介して先へ送られようとした場合には、ＩＥＥＥ１３９４命令コードに準じて赤外線レシーバにおいて復号され符号化されなければならない。
【００２６】
本発明によれば、制御命令ＳＢがＸＭＬドキュメントにテキスト形式で含まれこのテキスト（例えばＰＬＡＹ又はＣＨＡＮＮＥＬ ＵＰ）が規格の如くほぼ全ての製造業者及び顧客の場合において制御命令として慣例的なものであり、したがって全てのソースデバイス及び再生デバイスにおける全製造業者において変換（解読）可能となる、という効果も得られる。したがって、キーに割り当てられた制御命令ＳＢを変えること又はキーに割り当てられた幾つかの制御命令ＳＢを変えることは、用例により次に詳しく説明されるように、特に簡単である。
【００２７】
第１の用例によれば、ここでは、第１のユーザが自分のリモートコントロール装置たる第１のリモートコントロール装置３により、ソースデバイスとしてのＤＶＤプレーヤＤＶＤからコンピュータＰＣを介して再生デバイスとしての第２のテレビジョンセットＴＶ２へのアクティブデータリンクＤを設定し、映画を観ているものとする。さらに、第２のリモートコントロール装置４を持つ第２のユーザがビデオレコーダＶＣＲにより映画を再生しそれを第１のテレビジョンセットＴＶ１で観たいと思っているものとする。これをするために、第２のユーザは、第２のリモートコントロール装置のキーを操作して他のアクティブデータリンクＤを設定する。
【００２８】
コンピュータＰＣから、第２のリモートコントロール装置４は、伝送手段１１及び１０を介して、ＤＶＤプレーヤＤＶＤ及び第２のテレビジョンセットＴＶ２がアクティブデータリンクＤに既にリンクされていること及びネットワークに接続されているソースデバイス及び再生デバイスのどれが依然として受動状態となっているか、従って他のアクティブデータリンクに利用可能かの情報を受信する。処理手段９はここで、ディスプレイにおいてリンクテーブル１３を表示するが、エントリのＤＶＤ及びＴＶ２が選択のために表示されない。第２のユーザは、その後、ソースデバイス又はソースとしてビデオレコーダＶＣＲを、再生デバイス又はレンダラ（renderer）として第１のテレビジョンセットＴＶ１を選択する。対応の情報は、コンピュータＰＣに伝送され、そこでビデオレコーダＶＣＲ及び第１のテレビジョンセットＴＶ１がアクティブとされ、他のアクティブデータリンクＤがこれらデバイス間に設定される。ここでいう他のデータリンクＤは、第２のリモートコントロール装置４と関連づけられ、再び非アクティブとされ又はこれによってのみ切り換わり可能となる。これにより第１リモートコントロール装置３を持つ第１のユーザの入力は、当該映画が第１のテレビジョンセットＴＶ１において再生されていることを見ながら第２のユーザの邪魔をしない。
【００２９】
ソースデバイスに関連する第２のリモートコントロール装置４により第２のユーザによって入力された全ての制御命令ＳＢ（例えばＰＬＡＹ，ＮＥＸＴ，ＳＴＯＰ，ＦＯＲＷＡＲＤなど）は、ビデオレコーダＶＣＲのために識別される第２のリモートコントロール装置４によってここでは伝送される。同様に、再生デバイスに関連する第２のリモートコントロール装置４により第２のユーザによって入力された全ての制御命令ＳＢ（例えばＶＯＬＵＭＥ ＵＰ，ＣＨＡＮＮＥＬ ＵＰ，ＢＲＩＧＨＴＮＥＳＳ ＵＰなど）は、第１のテレビジョンセットＴＶ１のために識別される第２のリモートコントロール装置４により伝送される。これにより、ユーザが制御命令ＳＢが入力される対象のデバイスを識別するために何らかの追加のキーを操作する必要がないという効果が得られる。
【００３０】
他のアクティブデータリンクＤに対する第２リモートコントロール装置４の明確な割り当ても、ユーザが自分に割り当てられたコードを入力することによって自分自身を識別する必要なく、複数のいわゆる個人用のカスタマイズの特徴が可能となるという効果を奏する。実施可能な１つの個人用カスタマイズの特徴は、例えば、第２のユーザが好む特定のメニュー制御が、第１のテレビジョンセットＴＶ１による特定の背景色、テキスト色及びメニューナビゲーションによって表示されることである。同様に、ビデオレコーダＶＣＲにより第２のユーザのために記録されアーカイブシステムに格納された映画は、直接表示可能である。これに関しては、専門家が他の実現可能な多数の個人用カスタマイズの特徴に精通している。
【００３１】
第２のユーザがここでキーＴ１を操作することにより制御命令「ＰＬＡＹ」を入力すると、命令符号化手段１４は、テキストエディタにより編集可能なテキストとして制御命令「ＰＬＡＹ」を含む命令ドキュメントＤＯＣ又は伝送情報として次のＸＭＬドキュメントを作成するように構成される。
<?xml version=“1.0” encoding=“iso-8859-1” standalone=“no” ?>  
<!DOCTYPE XML_Remote SYSTEM “XML_Remote.dtd”>
<RC>
<device type=“VCR” />
<command type=“PLAY” />
</RC>
【００３２】
このように、上記ＸＭＬドキュメントにおいて、ビデオレコーダＶＣＲは、選択情報ＡＩ＝ＶＣＲによりソースデバイスとして識別され、これのために当該ＸＭＬドキュメントに従う制御命令ＳＢの「ＰＬＡＹ」が提供される。ここでは、制御命令ＳＢの「ＰＬＡＹ」がビデオレコーダＶＣＲの製造業者とは独立して復号され、当該再生動作モードの起動のために評価されることが可能となる、という特段の効果を奏する。これは、用語「ＰＬＡＹ」がこのための共通の表現であるからである。
【００３３】
第１のリモートコントロール装置３を第１のユーザの要望に適合するための機会は、特に有利である。その目的のため、伝送手段１０及び１１により、ユーザは、第１リモートコントロール装置３の各キーにつき命令符号化手段１４により作られたＸＭＬドキュメントをコンピュータＰＣに伝送し、それをテキストエディタにより編集することができる。ユーザはここでは、例えば当該ＸＭＬドキュメント内のテキスト「ＰＬＡＹ」をテキスト「ＲＥＷＩＮＤ」に置き換え、伝送手段１０及び１１によりメモリ手段８にその編集されたＸＭＬドキュメントを記憶することにより、制御命令「ＲＥＷＩＮＤ」をキーＴ１に割り当てることができる。但し、これに代えて、リモートコントロール装置３の各キーに属する完全なＸＭＬドキュメントが既に記憶されているようにしてもよい。
【００３４】
同様に、２つ以上の制御命令ＳＢをＸＭＬドキュメントに格納することも可能である。例えば、衛星レシーバの入力を選択するため及びビデオレコーダにおいて記録するための制御命令の組み合わせによってキー５が使われる可能性がある。対応するＸＭＬドキュメントは、次のようにすることができる。
<RC>
<device type=“DVD” />
<command type=“PLAY” />
<device type=“VCR” />
<command type=“RECORD” />
</RC>
【００３５】
これに代えて、対応のＸＭＬドキュメントを次のようにすることもできる。
<RC>
<command>
<device type=“DVD” />
PLAY
</command>
<command>
<device type=“VCR” />
RECORD
</command>
</RC>
【００３６】
したがってユーザは、自分のリモートコントロール装置を自分の条件に特に簡単に適合させることができ、例えば一度に全ての機器をオフに切り換えることが可能となる。同様に、広範な種類のデバイスにおける復号（デコード）を可能とするために、制御命令を幾つかの言語又は幾つかの態様でＸＭＬドキュメントに挿入することができる。例えば、制御命令「ＰＬＡＹ」と制御命令「ＷＩＥＤＥＲＧＡＢＥ」の双方が再生デバイスにおける再生動作モードの起動のためにＸＭＬドキュメントに挿入可能である。
【００３７】
他の使用例によれば、第２のリモートコントロール装置４がディスプレイを持たず、そのために、アクティブデータリンクＤを判定するリンクテーブル１３が現に受動的な再生デバイスによって示されるものとする。さらに、第１のユーザは、ソースデバイスとしてのコンピュータＰＣと再生デバイスとしての第１のテレビジョンセットＴＶ１との間のアクティブデータリンクＤを第１のリモートコントロール装置３により設定しているものとする。第２のリモートコントロール装置４を持つ第２のユーザが他のアクティブデータリンクＤを設定するようにキーを操作すると、リンクテーブル１３が第２のテレビジョンセットＴＶ２及びモニタＭにより表示される。第２のユーザがそのときモニタＭ又は第２のテレビジョンセットＴＶ２の前にいるかどうかにかかわらず、ユーザは、ここで所望のソースデバイス及び再生デバイスを選択することができ、これにより、選ばれていない再生デバイスが受動状態に再び設定される。ここでは特に、第１のユーザが自分が映画を観ている間に邪魔されないという顕著な効果を奏する。
【００３８】
ユーザが選択をなすことを可能とするため、再生デバイスとしての第１のスピーカボックスペアＢ１及び第２のスピーカボックスペアＢ２は、音響的にリンクテーブル１３を再生可能である。同様に、第２のリモートコントロール装置４は、リンクテーブル１３の音響的再生のための内臓又は組み込み式ラウドスピーカを有するものとすることができる。
【００３９】
第１のユーザは、付加的に、自分が起動したデータリンクに対して随時他の再生デバイスを起動することができるし、或いは、既にアクティブとなっている再生デバイスを起動解除させることもできる。ユーザが、例えば、第１のテレビジョンセットＴＶ１によるその映画の鑑賞を止めたくなく第２のテレビジョンセットＴＶ２に切り換えたいときにこれを行うのである。
【００４０】
なお、システム２のソースデバイス及び再生デバイスの各々、又はシステム２の複数のソースデバイス及び再生デバイスは、ＷＬＡＮ伝送方法又はこれに匹敵する伝送方法に準じて伝送データの伝送を行う伝送手段を有することもできる。ＸＭＬドキュメントＤＯＣにおいて共に伝送される第１のリモートコントロール装置３又は第２のリモートコントロール装置４の識別情報ＫＩにより、そしてＸＭＬドキュメントＤＯＣにおいて共に伝送される選択情報ＡＩにより、当該情報が当該制御命令ＳＢが意図されるところのデバイスを識別するものとして、当該デバイスの各々は、受信したＸＭＬドキュメントＤＯＣをそれ相応に処理することができる。
【００４１】
また、制御命令ＳＢ又は入力情報ＥＩに割り当てられた完全なＸＭＬドキュメントＤＯＣは、メモリ手段８に記憶可能である。但しその場合、選択情報ＡＩをＸＭＬドキュメントＤＯＣに含ませることができないと考えられる。同様に、上述したように、命令符号化手段１４が特定のキーＴのＸＭＬドキュメントを当該キーが操作された後にだけ構成しもって符号化することができる。
【００４２】
さらに、伝送手段１１は、図１に示される全ての装置（ソースデバイス及び再生デバイス）の伝送手段として設けられる。したがって、伝送手段１１は、全てのデバイスについて命令ドキュメントＤＯＣを復号し対応のアドレス指定された制御命令ＳＢをそれぞれのデバイスに供給する命令符号化手段を含むことができる。他方、各デバイスは、命令復号手段を持つこともできる。
【００４３】
また、当該アクティブデータリンクに対して起動される複数のデバイスを制御するために、複数の独立したアクティブデータリンクを１つの制御装置により設定することもできる。但しこの場合、ユーザは、いずれの場合も当該制御命令が入力される対象のアクティブデータリンクを選択しなければならないと想定される。
【図面の簡単な説明】
【００４４】
【図１】それぞれ制御装置を形成する第１のリモートコントロール装置及び第２のリモートコントロール装置により制御される幾つかのデバイスを有するシステムを示す図。
【図２】図１による第１のリモートコントロール装置を示す図。
【図３】第１のリモートコントロール装置のメモリ手段に記憶されるアロケーションテーブルであって、互いにアロケートされた入力情報及び制御命令を記憶するものを示す図。
【図４】第１のリモートコントロール装置のディスプレイによる表示のためのリンクテーブルであって、データリンクのために活性化可能なソースデバイス及び再生デバイスを列挙するものを示す図。
【図１】
2007506344.tif 000003
【図２】
2007506344.tif 000004
【図３】
2007506344.tif 000005
【図４】
2007506344.tif 000006
【国際調査報告】
2007506344.tif 000007
2007506344.tif 000008